(57)【要約】【課題】商品や店舗に関連するウェブサイトへのアクセスを効率良く促すことができる商品・店舗情報提供システムを提供する。【解決手段】商品・店舗情報提供システムを表示装置１０、携帯電話機１２、管理コンピュータ１４から構成する。表示装置１０は商品売場付近や店舗内に設置され、商品や店舗の広告宣伝用映像と共に商品や店舗に関連するウェブサイトへのリンク情報が記録されたバーコードを表示する液晶ディスプレイ５２を有している。携帯電話機１２は、ＣＣＤカメラで撮影されたバーコードの画像データからリンク情報を抽出し、送信する。管理コンピュータ１４は、インターネット１６及び携帯電話基地局１８を介して携帯電話機１２から送信されるリンク情報を受信すると、そのリンク情報に基づいてウェブサイトを構成するウェブページのデータを携帯電話機１２に送信する。【選択図】図１
2008256950.tif 000002
【特許請求の範囲】
【請求項１】
a)ウェブサイトへのリンク情報が記録されたバーコードの画像を撮影して前記リンク情報を送信可能な通信端末から送信されてきた前記リンク情報に基きウェブサイトを構成するウェブページデータを前記通信端末に送信する管理コンピュータと、
b)商品売場付近や店舗内に設置されて当該商品や店舗の広告宣伝用映像と共に前記商品や前記店舗に関連するウェブサイトへのリンク情報が記録されたバーコードを表示する液晶ディスプレイを有する表示装置と、
を備えた商品・店舗情報提供システム。
【請求項２】
前記液晶ディスプレイは複数の分割画面を同時に表示可能に構成され、前記複数の分割画面のうちの一つに前記バーコードを表示し、残りの分割画面に広告宣伝用映像を表示することを特徴とする請求項１に記載の商品・店舗情報提供システム。
【請求項３】
前記液晶ディスプレイの分割画面数は変更可能に構成され、
前記液晶ディスプレイの表面には、当該液晶ディスプレイの分割画面数に応じてタッチ操作エリアが分割されるタッチパネルが設けられていることを特徴とする請求項２記載の商品・店舗情報提供システム。
【請求項４】
前記表示装置に着脱可能に装着され、前記広告宣伝用映像の表示データ及びバーコードの画像データを記憶する外部記憶媒体を備えることを特徴とする請求項１ないし３のいずれかに記載の商品・店舗情報提供システム。
【請求項５】
前記表示装置と通信網を介して接続可能に構成され、前記広告宣伝用映像の表示データ及びバーコードの画像データを前記表示装置に送信する外部記憶装置を備えることを特徴とする請求項１ないし３のいずれかに記載の商品・店舗情報提供システム。
【請求項６】
ウェブサイトへのリンク情報が記録されたバーコードの画像を撮影して前記リンク情報を送信可能な通信端末と、この通信端末から送信されてきた前記リンク情報に基き前記ウェブサイトを構成するウェブページデータを前記通信端末に送信する管理コンピュータとからなる商品・店舗情報提供システムに用いられる表示装置において、
a)商品売場付近や店舗内に設置される装置本体と、
b)前記装置本体に設けられ、前記商品や店舗の広告宣伝用映像と共に前記商品や前記店舗に関連するウェブサイトへのリンク情報が記録されたバーコードを表示する液晶ディスプレイと、
を備えたことを特徴とする表示装置。
【請求項７】
前記液晶ディスプレイは複数の分割画面を同時に表示可能に構成され、前記複数の分割画面のうちの一つに前記バーコードを表示し、残りの分割画面に広告宣伝用映像を表示することを特徴とする請求項６に記載の表示装置。
【請求項８】
前記液晶ディスプレイの分割画面数は変更可能に構成され、
前記液晶ディスプレイの表面には、当該液晶ディスプレイの分割画面数に応じてタッチ操作エリアが分割されるタッチパネルが設けられていることを特徴とする請求項７記載の商品・店舗情報提供システム。
【請求項９】
前記表示装置に着脱可能に装着され、前記広告宣伝用映像の表示データ及びバーコードの画像データを記憶する外部記憶媒体を備えることを特徴とする請求項６ないし７のいずれかに記載の商品・店舗情報提供システム。
【請求項１０】
前記表示装置と通信網を介して接続可能に構成され、前記広告宣伝用映像の表示データ及びバーコードの画像データを前記表示装置に送信する外部記憶装置を備えることを特徴とする請求項６ないし７のいずれかに記載の商品・店舗情報提供システム。
【発明の詳細な説明】
【技術分野】
【０００１】
本発明は、インターネットなどの通信網を介して接続された通信端末と管理コンピュータとの間でデータの授受を行うことにより管理コンピュータから商品や店舗に関する情報の提供を受けることができる商品・店舗情報提供システム及びこのようなシステムに用いられる表示装置に関する。
【背景技術】
【０００２】
商品の普及や店舗の知名度向上を図る上で、広告宣伝活動は重要な役割を果たすことから、様々な媒体を使った商品や店舗の広告宣伝活動が行われている。その一つとして、例えばポケット型ティッシュを用いた広告宣伝活動がある(特許文献１参照）。
ポケット型ティッシュは、薄い透明又は半透明のポリプロピレン製等の袋体の中にティッシュペーパーが収容されており、広告宣伝情報が印刷されたチラシがティッシュペーパーと共に前記袋体の中に収納されている。また、袋体に広告宣伝情報が直接印刷されているものもある。更に、近年では、商品や店舗に関する情報を掲載したウェブサイトが開設されていることが多く、このようなウェブサイトにアクセスするためのＵＲＬ（Uniform Resource Locator)を広告宣伝情報と共に前記チラシ等に印刷することが行われている。
【０００３】
従って、ポケット型ティッシュを受け取った者は、チラシ等に記載されているＵＲＬを見てそのウェブサイトにアクセスすることにより、商品や店舗に関する種々の情報を得ることができる。
【特許文献１】特開2006-106878号公報
【発明の開示】
【発明が解決しようとする課題】
【０００４】
ところが、前記ポケット型ティッシュに収納されるチラシ等は十分な量の広告宣伝情報を表示するスペースを有していない。また、前記ポケット型ティッシュは、広告宣伝対象の商品や店舗とは全く無関係な場所で無作為に配布される。このため、ポケット型ティッシュを受け取った者が必ずしもその広告宣伝情報に着目したり、広告宣伝対象たる商品や店舗に興味を持ったりするとは限らず、前記商品や店舗に関連するウェブサイトへのアクセスを促す手段としてポケット型ティッシュが有効に活用されているとはいえなかった。
本発明が解決しようとする課題は、商品や店舗に関連するウェブサイトへのアクセスを効率良く促すことができる商品・店舗情報提供システム及びこのようなシステムに用いられる表示装置を提供することである。
【課題を解決するための手段】
【０００５】
上記課題を解決するために成された本発明に係る商品・店舗情報提供システムは、
a)ウェブサイトへのリンク情報が記録されたバーコードの画像を撮影して前記リンク情報を送信可能な通信端末から送信されてきた前記リンク情報に基きウェブサイトを構成するウェブページデータを前記通信端末に送信する管理コンピュータと、
b)商品売場付近や店舗内に設置されて当該商品や店舗の広告宣伝用映像と共に前記商品や前記店舗に関連するウェブサイトへのリンク情報が記録されたバーコードを表示する液晶ディスプレイを有する表示装置と、
を備えることを特徴とする。
【０００６】
また、本発明に係る表示装置は、ウェブサイトへのリンク情報が記録されたバーコードの画像を撮影して前記リンク情報を送信可能な通信端末と、この通信端末から送信されてきた前記リンク情報に基き前記ウェブサイトを構成するウェブページデータを前記通信端末に送信する管理コンピュータとからなる商品・店舗情報提供システムに用いられるものであって、
a)商品売場付近や店舗内に設置される装置本体と、
b)前記装置本体に設けられ、前記商品や店舗の広告宣伝用映像と共に前記商品や前記店舗に関連するウェブサイトへのリンク情報が記録されたバーコードを表示する液晶ディスプレイと、
を備えることを特徴とする。
【０００７】
ここで、広告宣伝用映像は、商品や店舗の直接的な広告宣伝用映像に限定されるものではなく、商品の使用方法や商品、店舗の構造等を説明するための映像といった間接的な広告宣伝用映像も含むものとする。
【０００８】
また、前記管理コンピュータは、商品・店舗情報提供システムの提供会社が設置する場合、前記店舗の運営会社が設置する場合等、種々の場合を含むものとする。
【発明の効果】
【０００９】
本発明の商品・店舗情報提供システムを構成する表示装置は、商品売場や店舗内に設置されるため、もともと前記商品や店舗に興味を有する当該商品の購入予定者や購入者、当該店舗の利用者等の目に触れ易い。しかも、前記表示装置には、商品や店舗の広告宣伝用映像と共にバーコードの画像が表示されるため、商品購入予定者等に前記バーコードの画像をほぼ確実に認識させることができ、ウェブサイトへのアクセスを効果的に促すことができる。
【００１０】
また、本発明の商品・店舗情報提供システムを構成する管理コンピュータにおいては、通信端末からリンク情報が送信された回数や、リンク情報を送信してきた通信端末の種類等の情報を蓄積することにより、商品や店舗に対するユーザの注目度、人気商品や人気店舗の傾向等を知ることができる。
【発明を実施するための最良の形態】
【００１１】
以下、本発明を具体化した一実施例について図面を参照しながら説明する。
図１は、本実施形態に係る商品・店舗情報提供システムの全体構成を示す図である。前記情報提供システムは、表示装置１０、通信端末としての携帯電話機１２、管理コンピュータ１４を備えて構成されている。携帯電話機１２と管理コンピュータ１４とは通信網としてのインターネット１６及び携帯電話基地局１８を介して接続されており、各種情報の授受を行うようになっている。
【００１２】
図１及び図２に示すように、携帯電話機１２は、携帯電話用ＣＰＵ２０、アンテナ２２、操作入力部２４、通話処理部２６、ＣＣＤカメラ２８(撮像手段に相当）、液晶表示部３０、記録部３２を備えており、これらがバス３４を介して接続されている。
アンテナ２２は、携帯電話機１２の左上部に設けられている。液晶表示部３０は、携帯電話機１２の前面の上部に設けられており、携帯電話用ＣＰＵ２０の処理に基づき各種画像を表示する。
【００１３】
操作入力部２４は、携帯電話機１２の前面の下部に設けられた複数の操作ボタン３６の操作に応じた操作信号を携帯電話用ＣＰＵ２０に出力する。通話処理部２６は、例えばマイクロホンやスピーカ、音声処理部(いずれも図示せず）を備えており、携帯電話用ＣＰＵ２０によって各種の通話処理が行われる。ＣＣＤカメラ２８は、ＣＣＤ(Charge Coupled Devices)を使用したデジタルカメラであり、各種の被写体を撮影することにより得られた画像データをデジタル形式で取得して前記ＣＰＵ２０に出力する。記録部３２は、ＲＯＭ３２ａ、ＲＡＭ３２ｂ，ＥＥＰＲＯＭ３２ｃを備えている。前記ＥＥＰＲＯＭ３２ｃには、デコード用プログラム、データ送信プログラム、ウェブページ表示プログラム、その他各種プログラムが格納されている。
【００１４】
前記ＣＣＤカメラ２８は、２次元バーコードであるＱＲコードを撮影することで、そのセル配列を表す画像データを携帯電話用ＣＰＵ２０に出力するようになっている。前記デコード用プログラムは、前記ＱＲコードの画像データから当該ＱＲコードに記録された各種情報をデコードしたり、デコードした各種情報に基づき液晶表示部３０に各種のメッセージを表示したりするためのプログラムである。
前記ウェブページ表示プログラムは、携帯電話用ＣＰＵ２０がアンテナ２２を介して管理コンピュータ１４から受信したウェブページ表示用の各種データに基づいて、ウェブページの画像を液晶表示部３０に表示させるためのプログラムである。
【００１５】
図３に示すように、管理コンピュータ１４は、管理用ＣＰＵ４０、インターネット接続部４２、ウェブページ記録部４４、管理用ＥＥＰＲＯＭ４６を備えており、これらがバス４８を介して接続されている。ウェブページ記録部４４には、携帯電話機１２の液晶表示部３０においてウェブページを表示するための複数のウェブページデータが記憶されている。管理用ＥＥＰＲＯＭ４６は不揮発性メモリによって構成されており、ウェブページ送信プログラム、検索プログラム等各種のプログラムが記憶されている。
【００１６】
ウェブページ送信プログラムは、管理用ＣＰＵ４０がインターネット接続部４２を介して携帯電話機１２からウェブサイトのリンクデータを受信すると、そのリンクデータに対応するウェブサイトのウェブページデータをウェブページ記録部４４から抽出し、前記インターネット接続部４２を介して携帯電話機１２に送信するためのプログラムである。検索プログラムは、管理用ＣＰＵ４０がインターネット接続部４２を介して携帯電話機１２からキーワードを受信すると、そのキーワードを含むウェブページデータを抽出し、前記インターネット接続部４２を介して携帯電話機１２に送信するためのプログラムである。
【００１７】
尚、前記管理コンピュータ１４は、複数の広告宣伝主から委託を受けた運営会社、つまり、商品・店舗情報提供システムの提供者によって運用されている。前記運営会社は、委託された広告宣伝主に対応する１ないし複数のウェブサイトを前記管理コンピュータ１４を用いてインターネット１６上に提供している。前記管理コンピュータ１４は各ウェブサイトを構成するウェブページデータをウェブページ記録部４４に記憶している。ウェブページ記録部４４は、例えばウェブサイト毎に設けられており、図１では３個のウェブページ記録部４４を示している。
【００１８】
次に、表示装置１０について説明する。前記表示装置１０は、商品や店舗の広告宣伝用映像を継続的に表示させるようになっており、広告宣伝対象の商品売場付近や店舗内に設置されている。図４及び図５に示すように、前記表示装置１０は、表示装置用ＣＰＵ５０、液晶ディスプレイ５２、スピーカ５４、リモコン受光部５６、カードスロット５８、タッチパネル６０を備えており、これらがバス６２を介して接続されている。前記表示装置１０は薄型の矩形パネル状の装置本体１０ａを有しており、この装置本体１０ａの前面中央に前記液晶ディスプレイ５２が、この液晶ディスプレイ５２の左右両側に前記スピーカ５４が設けられている。液晶ディスプレイ５２の表面には前記タッチパネル６０が配置されており、前記タッチパネル６０のタッチ操作信号は表示装置用ＣＰＵ５０に入力される
【００１９】
前記リモコン受光部５６は、装置本体１０ａの前面の左下部に設けられており、リモコン（遠隔操作装置)６４の操作に応じて出力される赤外線信号を受光し、その受光信号を前記表示装置用ＣＰＵ５０に出力する。前記カードスロット５８は装置本体１０ａの上面に設けられており、外部記憶媒体たるメモリカード６６が着脱可能に挿入される。メモリカード６６には、液晶ディスプレイ５２に表示される画像データが格納されている。画像データは、広告宣伝用の映像データ、ＱＲコードの画像データ等から構成されている。ＱＲコードは、二次元バーコードの一つとして普及しているもので、白黒のドットパターンを二次元的に配置して成るコードである。カードスロット５８にメモリカード６６が挿入されると、前記表示装置用ＣＰＵ５０は、リモコン６４の操作信号、タッチパネル６０のタッチ操作信号に応じてメモリカード６６から画像データを読み取り、所定の画像や映像を液晶ディスプレイ５２に表示させる。
【００２０】
前記表示装置１０は、前記液晶ディスプレイ５２に１個の画面を表示する全画面モードと、複数画面を表示する分割画面モードとを切り替え可能に備えている。分割画面モードにおいて液晶ディスプレイ５２に表示される画面数及び配列数には例えば図５に示すような複数のパターンがあり、適宜のパターンに設定できるようになっている。
全画面モードと分割画面モードとの切り替えは、例えばタッチパネル６０を操作することにより行われる。また、所定時間が経過すると自動的に画面モードが切り替わるように設定することができる。
【００２１】
そして、詳しくは後述するように、本実施例では、分割画面モードに設定されているときは液晶表示画面に待機画面が表示されるように構成されている。分割画面モードでは、複数画面のそれぞれに異なる映像を表示させ、各分割エリアをタッチ操作すると、タッチ操作されたエリアの待機画面に関連する宣伝広告用映像を全画面モードで表示させることができる。このとき、複数の待機画面のうちの一つにはＱＲコードの画像を表示させ、残りの分割画面には広告宣伝用の映像を表示させることができる。このＱＲコードには、残りの分割画面に表示されている広告宣伝用の映像に関連する店舗や商品のウェブサイトのリンク情報がコード化されている。
【００２２】
次に、上記情報提供システムの動作を、店舗としてのヘアサロンに関連する情報提供システムに適用した場合を例に挙げて説明する。
ヘアサロンに関連する情報提供システムを構成する表示装置１０は、ヘアサロンの利用者の目に触れ易い例えば受付付近に設置されている。表示装置１０の液晶ディスプレイ５２には通常、待機画面が表示されており、利用者がタッチパネル６０をタッチ操作することにより広告宣伝用映像に切り替わる。例えば図６は、液晶ディスプレイ５２に表示された待機画面の一例を示している。この例では、待機画面は２個の分割画面から構成されており、一方の分割画面には当該ヘアサロンの広告宣伝用映像が表示され、他方の分割画面にはヘアサロンに関連するウェブサイトのリンク情報をコード化したＱＲコードの画像が表示されている。
【００２３】
これら分割画面のいずれかのエリアがタッチ操作されると、表示装置用ＣＰＵ５０は、そのタッチ操作信号に基づき液晶ディスプレイ５２の表示を全画面モードに切り替える。即ち、広告宣伝用映像が表示されているエリアがタッチ操作された場合は、当該広告宣伝用映像を液晶ディスプレイ５２に全画面で表示し（図７参照）、ＱＲコードが表示されているエリアがタッチ操作された場合は、実施中のキャンペーンの内容を知らせる映像を液晶ディスプレイ５２に全画面で表示する(図８参照）。
一方、全画面モードで映像を表示している液晶ディスプレイ５２の表示画面がタッチ操作されると、表示装置用ＣＰＵ５０は、液晶ディスプレイ５２の表示を待機画面に切り替える。
【００２４】
また、液晶ディスプレイ５２に待機画面が表示されている状態では、ヘアサロンの利用者が携帯電話機１２の操作ボタン３６を操作することにより、ＣＣＤカメラ２８を用いて前記ＱＲコードを撮影することができる。
ＱＲコードが撮影されると、携帯電話用ＣＰＵ２０は、撮影されたＱＲコードの画像データからＱＲコードに記録されているリンク情報をデコードし、このリンク情報に基づいて液晶表示部３０にＵＲＬ等の文字情報及びメッセージを表示させる。
【００２５】
そして、利用者が、液晶表示部３０の表示に基づいて操作ボタン３６を操作し、ウェブサイトにアクセスすることを選択すると、携帯電話用ＣＰＵ２０は、データ送信プログラムに従って、デコードしたＵＲＬデータを携帯電話基地局１８を介して管理コンピュータ１４に送信する。
これに対して、管理コンピュータ１４の管理用ＣＰＵ４０は、携帯電話用ＣＰＵ２０からＵＲＬデータを受信すると、そのＵＲＬデータに対応するウェブサイトのウェブページデータをウェブページ記録部４４から抽出し、インターネット接続部４２を介して携帯電話機１２に送信する。携帯電話機１２の携帯電話用ＣＰＵ２０は、管理用ＣＰＵ４０からウェブページデータを受信すると、ウェブページ表示プログラムに従ってウェブページの画像を液晶表示部３０に表示する。
このように、携帯電話機１２と管理コンピュータ１４とが携帯電話基地局１８及びインターネット１６を介して接続されることにより、両者の間で各種のデータの授受が行われる。
【００２６】
図９は、携帯電話用ＣＰＵ２０からＵＲＬ情報を受信した管理コンピュータ１４が、最初に携帯電話用ＣＰＵ２０に送信するウェブページデータの画像を示している。このウェブページ(トップページ）では、ウェブサイトにログインしたり、このウェブサイトへの会員登録を行ったりするための表示がなされる。そして、利用者が携帯電話機１２の操作ボタン３６を操作することにより、「ログインする」が選択されると、その選択データが管理用ＣＰＵ４０に送信され、これに応じて管理用ＣＰＵ４０は別のウェブページデータを携帯電話機１２に送信する。
【００２７】
これにより、携帯電話機１２の液晶表示部３０には、図１０に示すようなメニューリストが掲載されたウェブページが表示される。このウェブページでは、利用者は携帯電話機１２の操作ボタン３６を操作することにより、任意のメニュー項目を選択することができる。メニュー項目の選択操作がなされると、携帯電話用ＣＰＵ２０は、その選択データを管理用ＣＰＵ４０に送信する。
【００２８】
図１１は、「スタイリストのランキング閲覧」を選択する操作が行われたことにより、携帯電話機１２の液晶表示部３０に表示されるウェブページの例を示している。このページでは、人気順位が１位から１０位までのスタイリストの名前が順に表示される。
図１２は、「読者モデルのランキング閲覧」を選択する操作が行われたことにより、携帯電話機１２の液晶表示部３０に表示されるウェブページの例を示している。このページでは、人気順位が１位から１０位までの読者モデルの名前が順に表示される。
【００２９】
図１１や図１２に示すウェブページで、所定のスタイリスト或いは読者モデルを選択するための操作が行われると、管理コンピュータ１４の管理用ＣＰＵ４０は、そのスタイリストや読者モデルに関するウェブページデータを携帯電話機１２に送信する。
図１３及び図１４は、携帯電話機１２の液晶表示部３０に表示されたスタイリスト及び読者モデルに関するウェブページの例をそれぞれ示している。
【００３０】
スタイリストのウェブページでは、例えばスタイリストの顔写真と共に所属する美容院、得意なヘアスタイルといった情報の他、スタイリストの血液型、誕生日、趣味などの個人情報が掲載される。一方、読者モデルのウェブページでは、当該読者モデルの顔写真と共に利用している美容サロン、担当のスタイリスト、現在のヘアスタイル等が表示される。
【００３１】
尚、スタイリスト及び読者モデルのウェブページでは、当該ウェブページに表示されている種々の項目（例えば美容サロンやスタイリスト等）を選択するための操作を行うことにより、更に別のウェブページデータが管理用ＣＰＵ４０から送信される。従って、ヘアサロンの利用者は、携帯電話機１２を用いることにより、そのヘアサロンに関連する種々の情報の提供を受けることができる。また、スタイリスト及び読者モデルのウェブページでは、「投票する」を選択する操作を行うことにより、当該スタイリスト及び読者モデルの人気投票に参加することができる。
【００３２】
このように、本実施例では、商品売場や店舗内に設置されて前記商品や店舗の広告宣伝用映像を表示する表示装置１０に、当該商品や店舗に関連するウェブサイトのＵＲＬをコード化したＱＲコードの画像を表示させた。しかも、表示装置１０には、広告宣伝用映像と共にＱＲコードの画像を表示させたため、商品の購入者や購入予定者、店舗の利用者（以下、「システム利用者」とする）に対して前記ＱＲコードを着目させることができ、前記システム利用者に対してウェブサイトへのアクセスを有効に促すことができる。
【００３３】
システム利用者がウェブサイトへアクセスすると、管理コンピュータ１４とシステム利用者の携帯電話機１２とがインターネット１６を介して接続され、商品や店舗に関連するウェブページが前記携帯電話機１２の液晶表示部３０に表示される。このため、前記ウェブページを閲覧することによりシステム利用者は、商品や店舗に関する様々な情報の提供を受けることができる。
【００３４】
一方、管理コンピュータ１４においては、携帯電話機１４からのアクセス回数や携帯電話機１４の機種等の情報を蓄積することにより、商品や店舗に対するシステム利用者の注目度、人気商品や人気店舗の傾向等を知ることができる。
【００３５】
また、上記実施例では、表示装置１０の液晶ディスプレイ５２に複数の分割画面を表示させると共に、前記分割画面の一つにＱＲコードの画像を表示させ、残りの分割画面に商品や店舗の広告宣伝用映像を表示させた。つまり、ＱＲコードの画像と広告宣伝用映像を独立的に同じ液晶ディスプレイ５２の画面上に表示させることができる。従って、広告宣伝用映像のデータとＱＲコードの画像データとを独立的に構成することができ、データ管理を容易に行うことができる。
【００３６】
上記実施例では、広告宣伝用映像のデータ及びＱＲコードの画像データをメモリカード６６に格納した。従って、メモリカード６６を交換することにより、表示装置１０の液晶ディスプレイ５２に表示させる広告宣伝用映像及びＱＲコードの画像を簡単に変更することができる。
【００３７】
尚、上記実施例では、広告宣伝用映像のデータとＱＲコードの画像と一緒に表示させる映像をヘアサロンの広告宣伝用映像として説明したが、ヘアサロンで取り扱っている例えば、染毛剤やシャンプー、リンス等の商品に関する映像をＱＲコードの画像と一緒に表示させるように構成しても良い。この場合、ＱＲコードの画像を撮影した利用者がアクセスするウェブサイトには、商品の含有成分や効能、使用方法等を表示するようにすると良い。
【００３８】
また、ＱＲコードの画像を撮影した利用者は、ヘアサロンから自宅に戻った後、ウェブサイトにアクセスすることも可能である。この場合、ウェブサイトに例えば染毛剤を使った毛染めの手順を表示させれば、ヘアサロンで染毛剤を購入した利用者が自宅で毛染めをする際にその手順を見ながら作業することができ、便利である。
【００３９】
更に、本発明は上記した実施例に限定されるものではなく、例えば次のような変形が可能である。
管理コンピュータは商品の製造、販売会社や店舗の運営会社が運用する構成とし、通信端末からリンク情報が送信されてくると、前記商品の製造、販売会社や前記店舗の運営会社が提供するウェブサイトのウェブページデータを送信するようにして良い。
通信端末は、携帯電話機に限らず、インターネット等の通信網と通信可能なパソコンやＰＤＡ(Personal digital assistants)でも良い。
【００４０】
表示装置用ＣＰＵは、メモリカードに格納されているデータに基づき、広告宣伝用映像やＱＲコードの画像を液晶ディスプレイに表示させる構成としたが、前記広告宣伝用映像データ及びＱＲコードの画像データは、インターネットを介して管理コンピュータ等の外部装置から表示装置用ＣＰＵに送信するようにしても良い。また、表示装置用ＣＰＵが前記広告宣伝用映像データ及びＱＲコードの画像データを予め備えていても良い。
本発明は、ヘアサロンなどの店舗に関連する情報提供システムの他、商品に関連する情報提供システムにも適用可能である。この場合は、表示装置は、商品売場付近に設置すると良い。
【図面の簡単な説明】
【００４１】
【図１】本発明の一実施例を示す商品・店舗情報提供システムの全体構成図
【図２】携帯電話機の電気的構成を示すブロック図
【図３】管理用コンピュータの電気的構成を示すブロック図
【図４】液晶表示装置の電気的構成を示すブロック図
【図５】液晶ディスプレイの画面の分割パターンを示す図
【図６】広告宣伝用映像及びＱＲコードの画像データが表示装置の液晶ディスプレイに並べて表示されている例を示す図
【図７】広告宣伝用映像が表示されているエリアをタッチ操作したときに切り替わる液晶ディスプレイの表示画面の例を示す図
【図８】ＱＲコードの画像が表示されているエリアをタッチ操作したときに切り替わる液晶ディスプレイの表示画面の例を示す図
【図９】携帯電話機の液晶表示部に表示されるウェブページの例を示す図（その１）
【図１０】携帯電話機の液晶表示部に表示されるウェブページの例を示す図（その２）
【図１１】携帯電話機の液晶表示部に表示されるウェブページの例を示す図（その３）
【図１２】携帯電話機の液晶表示部に表示されるウェブページの一例を示す図（その４）
【図１３】携帯電話機の液晶表示部に表示されるウェブページの一例を示す図（その５）
【図１４】携帯電話機の液晶表示部に表示されるウェブページの一例を示す図（その６）
【符号の説明】
【００４２】
１０…表示装置
１０ａ…装置本体
１２…携帯電話機(通信端末)
１４…管理コンピュータ
１６…インターネット(通信網)
２８…ＣＣＤカメラ(撮像手段）
５２…液晶ディスプレイ
６０…タッチパネル
６４…メモリカード（外部記憶媒体）
【図１】
2008256950.tif 000003
【図２】
2008256950.tif 000004
【図３】
2008256950.tif 000005
【図４】
2008256950.tif 000006
【図５】
2008256950.tif 000007
【図６】
2008256950.tif 000008
【図７】
2008256950.tif 000009
【図８】
2008256950.tif 000010
【図９】
2008256950.tif 000011
【図１０】
2008256950.tif 000012
【図１１】
2008256950.tif 000013
【図１２】
2008256950.tif 000014
【図１３】
2008256950.tif 000015
【図１４】
2008256950.tif 000016